(57)【要約】      （修正有）【課題】日本古来から継承されている正月飾りに犬や猫などの愛玩ペットに関連した装飾品を組み込んだペット用正月飾りを提供する。【解決手段】種々の装飾品で装飾された正月飾りＳにおいて、ペットの名称及び祈念内容を記した祈念札２０、ペットの顔相を模した水引２１、ペットの足跡を配した扇飾り、ペットの足跡を配した御幣２３、ペットの好物を模した装飾品２４、ペットの肖像イラストや漢字を配した絵馬２５のうち選択される少なくとも１以上が組み込まれて成る。【選択図】図２
0003212005.tif 000002
【実用新案登録請求の範囲】
【請求項１】
種々の装飾品で装飾された正月飾りにおいて、ペットの名称及び祈念内容を記した祈念札、ペットの顔相を模した水引、ペットの足跡を配した扇飾り、ペットの足跡を配した御幣、ペットの好物を模した装飾品、ペットの肖像イラストや漢字を配した絵馬のうち選択される少なくとも１以上の装飾品が組み込まれて成ることを特徴とするペット用正月飾り。
【請求項２】
前記正月飾りが、門松飾り仕様、玄関飾り仕様、輪飾り仕様、注連縄飾り仕様、リース飾り仕様で構成されていることを特徴とする請求項1記載のペット用正月飾り。
【考案の詳細な説明】
【技術分野】
【０００１】
本考案は、正月飾りに関し、詳しくは、日本古来から継承されている正月飾りに犬や猫などのペット類に関連した装飾品を組み込んだペット用正月飾りに関するものである。
【背景技術】
【０００２】
正月飾りとして鏡餅、しめ飾り、みのぐみ、注連等が年初めの正月飾りとして飾り付けられる。その素材は、餅、みかん、干柿、海藻（昆布、ホンダワラ等）、山草（裏白等）、しめ縄、扇飾り等が使用され、それらを串刺し台に取り付けて飾り立てるもので、門、玄関、神棚や床の間など、家屋のいたる所に飾られ、日本古来の伝統正月催事として長く祀られてきた。
【０００３】
正月飾りの様式としては、門松飾り、玄関飾り、輪飾り、注連縄飾りを始め、近年では住宅の洋風化に伴い、注連縄をリース状に組み上げた注連縄リース飾りも一般的に普及してくるようになってきている。かかる正月飾りは、神様の依代として福を招き災厄が家内に入らないように結界として見立てられ、家内安全、商売繁盛、健康祈願など様々な願いを込めて、新年を迎えるにあたって飾り立てられるものである。
【０００４】
ところで、近年に至っては、人々の生活様式も多様に様変わりしてきており、長寿社会現象に伴う高齢化や女性の社会進出に伴う少子化や核家族化が進む現代社会においては、犬や猫などの愛玩ペットが家族の一員として受け入れられる社会傾向が一般化してきていて、それに伴いペット用の食品、日用品、玩具や衣類類も、人間が使用するものと見劣りしない程高額化ならびに品揃化されて取り揃えられる様になり、さらに動物病院や保険、葬祭に至るまで、人間社会同様のサービス産業が展開されている。
【０００５】
また、神様を祀る神社などにおいても、古来より人間と生活を共にする犬猫を祀る神社も日本全国に数多く存在しており、ペットの健康祈願や、埋葬墓地を司るペット専用の神社や墓地の利用も広く利用されるようになってきている。
【０００６】
飼い主にとって、ペットに対する関心事はペットの健康であり、それを裏付ける社会環境として、ペット用の食品や日用品、玩具類はもとより、ペット向けの医療や保険、葬祭等のサービス産業の著しい発展が物語っており、飼い主にとってペットの健康は、何事にも代え難い願望となっている。
【０００７】
しかしながら、一年の家内安全、商売繁盛、健康祈願など様々な願いを込めて飾り立てられる正月飾りは、あくまでも人間を対象とした願掛け祀りごとであって、家族の一員として人間同様に暮らしてきたペットに対しての正月飾りは、未だ提供されていないのが現状である。
【０００８】
従来から公知になっている「正月飾り」に関する提案は、例えば特許文献１や特許文献２の提案の様に、人間を対象とした家内安全、商売繁盛、健康祈願を願う正月飾りの提案であって、本出願の様な愛玩ペットを対象とした正月飾りではなかった。
【０００９】
本出願人は、以上のような従来から提案されている正月飾りにおいて、愛玩ペットを対象とした正月飾りが提供されていない現状に着目し、ペットの飼い主が新年を迎えるにあたって、日本古来の風習に則った上で従来の正月飾りとは異なる愛玩ペット用に特化した正月飾りができないものかという着想の下、日本古来から継承されている正月飾りに犬や猫などの愛玩ペットに関連した装飾品を組み込んだペット用正月飾りを開発し、本考案にかかる「ペット用正月飾り」の提案に至るものである。
【先行技術文献】
【特許文献】
【００１０】
【特許文献１】実用新案登録第３１１７７８７号公報
【特許文献２】特開２０００−１８４９５５号公報
【考案の概要】
【考案が解決しようとする課題】
【００１１】
本考案は、上記事情に鑑み、日本古来から継承されている正月飾りに犬や猫などの愛玩ペットに関連した装飾品を組み込んだペット用正月飾りを提供することを課題とするものである。
【課題を解決するための手段】
【００１２】
上記課題を解決するため、本考案は、種々の装飾品で装飾された正月飾りにおいて、ペットの名称及び祈念内容を記した祈念札、ペットの顔相を模した水引、ペットの足跡を配した扇飾り、ペットの足跡を配した御幣、ペットの好物を模した装飾品、ペットの肖像イラストや漢字を配した絵馬のうち選択される少なくとも１以上の装飾品が組み込まれて成る手段を採る。
【００１３】
また、本考案は、前記正月飾りが、門松飾り仕様、玄関飾り仕様、輪飾り仕様、注連縄飾り仕様、リース飾り仕様で構成されている手段を採る。
【考案の効果】
【００１４】
本考案にかかるペット用正月飾りによれば、ペットの飼い主が新年を迎えるにあたって、日本古来の風習に則ったペット用の正月飾りの提供を可能にする、といった優れた効果を奏する。
【００１５】
また、本考案にかかるペット用正月飾りによれば、ペットの名称及び祈念内容を記した祈念札、ペットの顔相を模した水引、ペットの足跡を配した扇飾り、ペットの足跡を配した御幣、ペットの好物を模した装飾品、ペットの肖像イラストや漢字を配した絵馬などを飾って祀ることによって、ペットも家族の一員でありまた人間と同等であるとの意識に立って、新年を迎えるにあたっての願掛け祀りごとを行うことができる、といった優れた効果を奏する。
【００１６】
さらに、本考案にかかるペット用正月飾りによれば、従来の人間を対象とした正月飾り産業に加えて、新たにペット産業の市場の拡大を図ることが可能であって、日本古来の伝統行事のお正月という祀りごとの活性化が図られる、といった優れた効果を奏する。
【００１７】
またさらに、本考案にかかるペット用正月飾りによれば、対象目的があくまで愛玩ペットであることを強調するために、ペットへの願掛けを目的とした語句を使用し、よりペットへの愛着の出るようなイメージを持った装飾を施すことによって、従来の十二支を使用した正月飾りとは異なる目的のペット用正月飾りの提供が可能になる、といった優れた効果を奏する。
【００１８】
さらにまた、本考案にかかるペット用正月飾りによれば、よりペットへの愛着の出るような装飾を付加することによって、従来の正月飾りでは満足できなかったペット愛玩者の満足度を高めることができる、といった優れた効果を奏する。
【００１９】
そしてまた、本考案にかかるペット用正月飾りによれば、従来の正月飾りが祀られる場所の他に、ペットの小屋、ケージや猫タワー、ペットの部屋のドアなどに飾り付けることができる、といった優れた効果を奏する。
【図面の簡単な説明】
【００２０】
【図１】本考案にかかる門松飾り仕様のペット用正月飾りの実施形態を示す説明図である。（実施例１）
【図２】本考案にかかる玄関飾り仕様のペット用正月飾りの実施形態を示す説明図である。（実施例２）
【図３】本考案にかかる輪飾り仕様のペット用正月飾りの実施形態を示す説明図である。（実施例３）
【図４】本考案にかかる注連縄飾り仕様のペット用正月飾りの実施形態を示す説明図である。（実施例４）
【図５】本考案にかかる注連縄飾りリース仕様のペット用正月飾りの実施形態を示す説明図である。（実施例５）
【考案を実施するための形態】
【００２１】
本考案にかかるペット用正月飾り１０は、種々の装飾品で装飾された正月飾りにおいて、ペットの名称及び祈念内容を記した祈念札２０、ペットの顔相を模した水引２１、ペットの足跡を配した扇飾り２２、ペットの足跡を配した御幣２３、ペットの好物を模した装飾品２４、ペットの肖像イラストや漢字を配した絵馬２５のうち選択される少なくとも１以上の装飾品が組み込まれて成る手段を採ったことを最大の特徴とする。
以下、本考案にかかるペット用正月飾り１０の実施形態を、図面に基づいて説明する。
【００２２】
尚、本考案にかかるペット用正月飾り１０は、以下に述べる実施形態に限定されるものではなく、本考案の技術的思想の範囲内、すなわち同一の作用効果を発揮できる形状や寸法等の範囲内で、適宜変更することができる。特に、各種装飾品に配されるペットに関連する記載（ペットの名称や足跡、肖像イラスト、漢字など）は、各種装飾品ごとに限定されるものではなく、互いに置換させたり重複させたりすることができるものである。
【実施例１】
【００２３】
図1は、本考案にかかる門松飾り仕様のペット用正月飾り１１の実施形態を示す説明図である。
かかる門松飾り仕様のペット用正月飾り１０は、ペットの名称及び祈念内容を記した祈念札２０、ペットの足跡を配した扇飾り２２、ペットの好物を模した装飾品２４、ペットの肖像イラストや漢字を配した絵馬２５が組み込まれて構成されている。
【００２４】
従来の日本古来の風習に則った門松飾り仕様の正月飾りＳは、門松や扇飾り、水草、まこも、水引、祈念札、御幣、飾り台などで構成され、これらの原材料としては、紙やプラスチック、針金、化学繊維、植物由来の稲わら、水草、まこも、麻、松、竹、ビニールなどが使用されている。
【００２５】
本実施形態にかかる門松飾り仕様のペット用正月飾り１１は、従来の門松飾り仕様の正月飾りＳに変更を加えて、下記の装飾品類が組み込まれて構成される。
（１）祈念札２０は、「愛犬」や「愛猫」といったペットの名称、「健康祈願」といった祈念内容が記されている。尚、ペットの名称に代えてペットの名前や戒名を記載する態様も考え得る。
（２）扇飾り２２は、所定箇所にペットの足跡が配されている。
（３）装飾品２４は、ペットが好んで食べる好物、例えばペットが犬であれば骨など、猫であれば魚などの形状を模したもので形成されている。
（４）絵馬２５は、ペットの肖像イラスト、そしてペットを表す漢字（犬であれば「戌」など）が配されている。
【００２６】
以上で構成される本実施形態にかかる門松飾り仕様のペット用正月飾り１１は、自宅の門前や玄関前、あるいはペット用の小屋や部屋の入口などに配置されるペット用正月飾り１０としての提供を可能にする。
【実施例２】
【００２７】
図２は、本考案にかかる玄関飾り仕様のペット用正月飾り１２の実施形態を示す説明図である。
本実施形態にかかる玄関飾り仕様のペット用正月飾り１２は、ペットの名称及び祈念内容を記した祈念札２０、ペットの顔相を模した水引２１、ペットの足型を配した御幣２３、ペットの好物を模した装飾品２４、ペットの肖像イラストや漢字を配した絵馬２５が組み込まれて構成されている。
【００２８】
従来の日本古来の風習に則った関飾り仕様の正月飾りＳは、注連縄、扇飾り、水草、まこも、水引、祈念札、御幣などで構成され、これらの原材料としては、紙、プラスチック、針金、化学繊維や植物由来の稲わら、水草、まこも、麻、松、竹、ビニールなどが使用されている。
【００２９】
本実施形態にかかる玄関飾り仕様のペット用正月飾り１２は、従来の玄関飾り仕様の正月飾りＳに変更を加えて、下記の装飾品類が組み込まれて構成される。
（１）祈念札２０は、「愛犬」や「愛猫」といったペットの名称、「健康祈願」といった祈念内容が記されている。尚、ペットの名称に代えてペットの名前や戒名を記載する態様も考え得る。
（２）水引２１は、ペットの顔相を水引２１で編み込んで形成されている。
（３）御幣２３は、所定箇所にペットの足跡が配されている。
（４）装飾品２４は、ペットが好んで食べる好物、例えばペットが犬であれば骨など、猫であれば魚などの形状を模したもので形成されている。
（５）絵馬２５は、ペットの肖像イラスト、そしてペットを表す漢字（犬であれば「戌」など）が配されている。
【００３０】
以上で構成される本実施形態にかかる玄関飾り仕様のペット用正月飾り１２は、自宅の玄関の框部、あるいはペット用の小屋や部屋のドアなどに配置されるペット用正月飾り１０としての提供を可能にする。
【実施例３】
【００３１】
図３は、本考案にかかる輪飾り仕様のペット用正月飾り１３の実施形態を示す説明図である。
本実施形態にかかる輪飾り仕様のペット用正月飾り１３は、ペットの名称及び祈念内容を記した祈念札２０、ペットの足型を配した御幣２３、ペットの好物を模した装飾品２４が組み込まれて構成されている。
【００３２】
従来の日本古来の風習に則った輪飾り仕様の正月飾りＳは、注連縄、祈念札、水引、御幣２３で構成され、これらの原材料としては、紙、プラスチック、針金、化学繊維や植物由来の稲わら、水草、まこも、麻、松、竹、ビニールなどが使用されている。
【００３３】
本実施形態にかかる輪飾り仕様のペット用正月飾り１３は、従来の輪飾り仕様の正月飾りＳに変更を加えて、下記の装飾品類が組み込まれて構成される。
（１）祈念札２０は、「愛犬」や「愛猫」といったペットの名称、「健康祈願」といった祈念内容が記されている。尚、ペットの名称に代えてペットの名前や戒名を記載する態様も考え得る。
（２）御幣２３は、所定箇所にペットの足跡が配されている。
（３）装飾品２４は、ペットが好んで食べる好物、例えばペットが犬であれば骨など、猫であれば魚などの形状を模したもので形成されている。
【００３４】
以上で構成される本実施形態にかかる輪飾り仕様のペット用正月飾り１３は、屋内の壁や神棚、あるいはペット用の小屋や部屋のドアなどに配置されるペット用正月飾り１０としての提供を可能にする。
【実施例４】
【００３５】
図４は、本考案にかかる注連縄飾り仕様のペット用正月飾り１４の実施形態を示す説明図である。
本実施形態にかかる注連縄飾り仕様のペット用正月飾り１４は、ペットの名称及び祈念内容を記した祈念札２０、ペットの顔相を模した水引２１、ペットの足型を配した御幣２３、ペットの好物を模した装飾品２４が組み込まれて構成されている。
【００３６】
従来の日本古来の風習に則った注連縄飾り仕様の正月飾りＳは、注連縄および御幣で構成され、これらの原材料としては、紙、化学繊維や植物由来の稲わらなどが使用されている。
【００３７】
本実施形態にかかる注連縄飾り仕様のペット用正月飾り１４は、従来の注連縄飾り仕様の正月飾りＳに変更を加えて、下記の装飾品類が組み込まれて構成される。
（１）祈念札２０は、「愛犬」や「愛猫」といったペットの名称、「健康祈願」といった祈念内容が記されている。尚、ペットの名称に代えてペットの名前や戒名を記載する態様も考え得る。
（２）水引２１は、ペットの顔相を水引２１で編み込んで形成されている。
（３）御幣２３は、所定箇所にペットの足跡が配されている。
（４）装飾品２４は、ペットが好んで食べる好物、例えばペットが犬であれば骨など、猫であれば魚などの形状を模したもので形成されている。
【００３８】
以上で構成される本実施形態にかかる注連縄飾り仕様のペット用正月飾り１４は、ペット用の小屋の軒天や部屋のドアなどに配置されるペット用正月飾り１０としての提供を可能にする。
【実施例５】
【００３９】
図５は、本考案にかかるリース飾り仕様のペット用正月飾り１５の実施形態を示す説明図である。
本実施形態にかかるリース飾り仕様のペット用正月飾り１５は、ペットの名称及び祈念内容を記した祈念札２０、ペットの顔相を模した水引２１、ペットの足型を配した御幣２３、ペットの好物を模した装飾品２４が組み込まれて構成されている。
【００４０】
従来のリース飾り仕様の正月飾りＳは、注連縄、水草、まこも、水引、扇飾り、御幣などで構成され、これらの原材料としては、紙、プラスチック、針金、化学繊維や植物由来の稲わら、水草、まこも、麻、松、竹、ビニールなどが使用されている。
【００４１】
本実施形態にかかるリース飾り仕様のペット用正月飾り１５は、従来のリース飾り仕様の正月飾りＳに変更を加えて、下記の装飾品類が組み込まれて構成される。
（１）祈念札２０は、「愛犬」や「愛猫」といったペットの名称、「健康祈願」といった祈念内容が記されている。尚、ペットの名称に代えてペットの名前や戒名を記載する態様も考え得る。
（２）水引２１は、ペットの顔相を水引２１で編み込んで形成されている。
（３）御幣２３は、所定箇所にペットの足跡が配されている。
（４）装飾品２４は、ペットが好んで食べる好物、例えばペットが犬であれば骨など、猫であれば魚などの形状を模したもので形成されている。
【００４２】
以上で構成される本実施形態にかかるリース飾り仕様のペット用正月飾り１５は、玄関、あるいはペット用の小屋や部屋のドアに配置されるペット用正月飾り１０としての提供を可能にする。
【産業上の利用可能性】
【００４３】
本考案にかかるペット用正月飾りは、上記各実施例で列挙した門松飾り仕様、玄関飾り仕様、輪飾り仕様、注連縄飾り仕様、リース飾り仕様の正月飾りだけでなく、例えば熊手飾りや〆飾り、水引飾り、玉飾り、交通安全飾りなどといった各種の祀用飾りにも応用することが可能である。したがって、本考案にかかる「ペット用正月飾り」の産業上の利用可能性は、極めて大であるものと思料する。
【符号の説明】
【００４４】
１０    ペット用正月飾り
１１    門松飾り仕様のペット用正月飾り
１２    玄関飾り仕様のペット用正月飾り
１３    輪飾り仕様のペット用正月飾り
１４    注連縄飾り仕様のペット用正月飾り
１５    注連縄リース飾り仕様のペット用正月飾り
２０    祈念札
２１    水引
２２    扇飾り
２３    御幣
２４    装飾品
２５    絵馬
２６    注連縄
Ｓ    正月飾り（従来）
【図１】
0003212005.tif 000003
【図２】
0003212005.tif 000004
【図３】
0003212005.tif 000005
【図４】
0003212005.tif 000006
【図５】
0003212005.tif 000007
【手続補正書】
【提出日】平成29年6月23日(2017.6.23)
【手続補正１】
【補正対象書類名】実用新案登録請求の範囲
【補正対象項目名】全文
【補正方法】変更
【補正の内容】
【実用新案登録請求の範囲】
【請求項１】
種々の装飾品で装飾された正月飾りにおいて、ペットの名称及び祈念内容を記した祈念札（２０）、ペットの顔相を模した水引（２１）、ペットの足跡を配した扇飾り（２２）、ペットの足跡を配した御幣（２３）、ペットの好物を模した装飾品（２４）、ペットの肖像イラストや漢字を配した絵馬（２５）のうち選択される少なくとも１以上の装飾品（２０〜２５）が組み込まれて成ることを特徴とするペット用正月飾り。
【請求項２】
前記正月飾りが、門松飾り仕様、玄関飾り仕様、輪飾り仕様、注連縄飾り仕様、リース飾り仕様のいずれかで構成されていることを特徴とする請求項1に記載のペット用正月飾り。